(57)【要約】【課題】ブラックマトリックスを備えた液晶表示素子製作において、液晶を滴下注入法で注入後、紫外線硬化型枠状シール材を硬化する際、シール材への紫外線の照射量が不十分なものとなり、硬化が十分行われず、液晶表示素子の信頼性が大幅に低下してしまう危険性があった。【解決手段】表示領域に沿った周縁部における，枠状のシール材とブラックマトリクスのオーバーラップ幅を０．２ｍｍ以下に抑えるか、ブラックマトリクスの，枠状のシール材にオーバーラップする領域を光透過部を含むようパターン化する。【選択図】図３ｂ
2011118439.tif 000002
【特許請求の範囲】
【請求項１】
透明な第１の基板と、
前記透明な第１の基板と所定の間隔を介して対向する第2の基板と、
紫外線硬化材からなり，前記第1の基板と前記第2の基板との間に挟持された枠状のシール材と、
前記枠状のシール材の内側に封入された液晶組成物と、
前記第1の基板と前記第2の基板のうちの少なくとも一方の上に設けられた複数の電極によって、前記第1の基板と前記第2の基板との間に形成される複数の表示画素と、
前記複数の表示画素の各々の輪郭を規定するとともに、該複数の表示画素からなる表示
領域を囲むよう形成された遮光性材料からなるブラックマトリクスとからなる液晶表示素子において、
前記ブラックマトリクスの前記枠状のシール材にオーバーラップする領域が、光透過部
を含むようパターン化されていることを特徴とする液晶表示素子。
【請求項２】
前記前記ブラックマトリクスの前記枠状のシール材にオーバーラップする領域が、水平
及び垂直方向に延在する格子パターンを形成していることを特徴とする請求項１記載の液晶表示素子。
【請求項３】
前記前記ブラックマトリクスの前記枠状のシール材にオーバーラップする領域が、水平
及び垂直方向から傾斜した格子パターンを形成していることを特徴とする請求項１記載の液晶表示素子。
【請求項４】
前記前記ブラックマトリクスの前記枠状のシール材にオーバーラップする領域が、スト
ライプパターンを形成していることを特徴とする請求項１記載の液晶表示素子。
【請求項５】
前記前記ブラックマトリクスの前記枠状のシール材にオーバーラップする領域が、開口
パターンを形成していることを特徴とする請求項１記載の液晶表示素子。
【請求項６】
前記前記ブラックマトリクスの前記枠状のシール材にオーバーラップする領域が、島状
パターンを形成していることを特徴とする請求項１記載の液晶表示素子。
【請求項７】
前記前記ブラックマトリクスの前記枠状のシール材にオーバーラップする領域が、くさ
び形パターンを形成していることを特徴とする請求項１記載の液晶表示素子。
【発明の詳細な説明】
【技術分野】
【０００１】
本発明は、枠状のシール材を介して、一対の基板を所定の間隙を介して対向させて固定
し、該枠状のシール材の内側の両基板間に液晶を封止して成る液晶表示素子に係わるもの
であり、特に、前記枠状のシール材の内側に形成されている多数の表示用画素群を囲み、
該枠状のシール材に沿って設けられたブラックマトリックス（Black Matrix）を備えた液
晶表示素子に係わるものである。
【背景技術】
【０００２】
液晶表示素子の一つのタイプであるアクティブ・マトリクス方式の液晶表示素子におい
ては、マトリクス状に配列された複数の画素の各々にスイッチング素子を設けられている
。スイッチング素子として代表的なものとしては薄膜トランジスタ(TFT)がある。
【０００３】
なお、薄膜トランジスタを使用したアクティブ・マトリクス方式の液晶表示装置は、例
えば特許文献１で知られている。また、画素電極の周囲を樹脂から成る遮光膜（以下ブラ
ックマトリクスとも呼ぶ）で覆う構成は、特許文献２、特許文献３及び特許文献４で知ら
れている。  
液晶表示素子は、例えば、内面に表示用画素電極と配向膜等がそれぞれ積層された一対
の基板を、前記内面が所定の間隙を介して互いに対向するように配置し、かつ該一対の基
板間の周縁部に、液晶封入口として一部に切欠き部が設けられた枠状のシール材により、
両基板を貼り合せた後に、前記液晶封入口を介した減圧注入法によりシール材の内側に液
晶を封入後、前記液晶封入口を封止して形成される。
【０００４】
さらに、前記両基板の外側に偏光板を貼り付けるとともに、液晶表示素子に光を供給す
るバックライトを液晶表示素子の下側に配置し、液晶表示素子を駆動する駆動用回路基板
を液晶表示素子の外周部の外側に配置し、これら各部材及び、これら各部材を保持するモ
ールド成形品からなる枠状体とを、液晶表示窓があけられた金属製シールドケース(フレ
ーム)等に収納して液晶表示装置を形成される。
【先行技術文献】
【特許文献】
【０００５】
【特許文献１】特開平5-257142号公報
【特許文献２】特開平4-342229号公報
【特許文献３】特開平5-72540号公報
【特許文献４】特開平11-352500号公報
【発明の概要】
【発明が解決しようとする課題】
【０００６】
近年、携帯電話などの小型携帯機器への液晶表示素子の普及はめざましいものであるが
、その普及の増大とともに、液晶表示素子の低価格への要求も益々厳しいものとなってき
ている。この要求に応えるために、特許第３２１０１０９号公報では、上記減圧注入法（
真空注入法とも呼ばれる）の代わりに、注入工程の短縮を目的として滴下注入法が提案さ
れている。しかし、この場合、シール材として熱硬化型は使用できず、紫外線硬化型しか
使用することが出来ない。
【０００７】
一方、液晶表示素子においては、上記特許文献１〜４に開示されているように、ブラッ
クマトリクスは、各画素電極を囲むように設けられて各画素の輪郭をはっきりさせコント
ラストを向上させるばかりでなく、枠状のシール材が配置されている液晶表示素子の基板
周縁部領域にもブラックマトリクスを形成して、上記バックライトからの光が、液晶表示
素子の基板周縁部のシール材を通過して表示面側に漏れるのを防止することも行われている。光漏れが生じると、表示面周縁部で表示コントラストが低下し、表示品質を著しく劣化させてしまう。特に、暗い表示面に明るい文字、図形などの表示を行う場合、この光漏れの影響を大きく受けてしまい問題となる。
【０００８】
しかしながら、このように、枠状のシール材が配置されている液晶表示素子の基板周縁
部領域にもブラックマトリクスを形成してしまうと、上記滴下注入法で使用される紫外線
硬化型シール材への紫外線の照射量が不十分なものとなり、硬化が十分行われず、液晶表
示素子の信頼性が大幅に低下してしまう危険性があった。
【０００９】
本発明の目的は、表示品質の低下及び液晶表示素子の信頼性の低下を伴うことなしに、
液晶封入に、製造工程の短縮を可能とする滴下注入法が採用できる液晶表示素子を提供す
ることにある。
【００１０】
本発明の上記目的及びその他の目的と新規な特徴は、本明細書の記述及び添付図面によ
って明らかにする。
【課題を解決するための手段】
【００１１】
本書において開示される発明のうち、代表的なものの概要を説明すれば、下記のとおり
である。
【００１２】
（１）  透明な第１の基板と、前記透明な第１の基板と所定の間隔を介して対向する第
2の基板と、紫外線硬化材からなり，前記第1の基板と前記第2の基板との間に挟持された枠状のシール材と、前記枠状のシール材の内側に封入された液晶組成物と、前記第1の基板と前記第2の基板のうちの少なくとも一方の上に設けられた複数の電極によって、前記第1の基板と前記第2の基板との間に形成される複数の表示画素と、前記複数の表示画素の各々の輪郭を規定するとともに、該複数の表示画素からなる表示領域を囲むよう形成された遮光性材料からなるブラックマトリクスとからなる液晶表示素子において、前記表示領域に沿った周縁部における，前記枠状のシール材と前記ブラックマトリクスのオーバーラップ幅が０．２ｍｍ以下であることを特徴とする液晶表示素子。
【００１３】
（２）  （１）の液晶表示素子において、前記枠状のシール材を形成する紫外線硬化材
の、硬化前の光学濃度が２以上であることを特徴とする。
【００１４】
（３）  （２）の液晶表示素子において、前記枠状のシール材を形成する紫外線硬化材
の、硬化前の光学濃度が４以下であることを特徴とする。
【００１５】
（４）  透明な第１の基板と、前記透明な第１の基板と所定の間隔を介して対向する第
2の基板と、紫外線硬化材からなり，前記第1の基板と前記第2の基板との間に挟持された枠状のシール材と、前記枠状のシール材の内側に封入された液晶組成物と、前記第1の基板と前記第2の基板のうちの少なくとも一方の上に設けられた複数の電極によって、前記第1の基板と前記第2の基板との間に形成される複数の表示画素と、前記複数の表示画素の各々の輪郭を規定するとともに、該複数の表示画素からなる表示領域を囲むよう形成された遮光性材料からなるブラックマトリクスとからなる液晶表示素子において、前記ブラックマトリクスの前記枠状のシール材にオーバーラップする領域が、光透過部を含むようパターン化されていることを特徴とする液晶表示素子。
【００１６】
（５）  （４）の液晶表示素子において、前記前記ブラックマトリクスの前記枠状のシ
ール材にオーバーラップする領域が、水平及び垂直方向に延在する格子パターンを形成し
ていることを特徴とする。
【００１７】
（６）  （４）の液晶表示素子において、前記前記ブラックマトリクスの前記枠状のシ
ール材にオーバーラップする領域が、水平及び垂直方向から傾斜した格子パターンを形成
していることを特徴とする。
【００１８】
（７）  （４）の液晶表示素子において、前記前記ブラックマトリクスの前記枠状のシ
ール材にオーバーラップする領域が、ストライプパターンを形成していることを特徴とす
る。
【００１９】
（８）  （４）の液晶表示素子において、前記前記ブラックマトリクスの前記枠状のシ
ール材にオーバーラップする領域が、開口パターンを形成していることを特徴とする。
【００２０】
（９）  （４）の液晶表示素子において、前記前記ブラックマトリクスの前記枠状のシ
ール材にオーバーラップする領域が、島状パターンを形成していることを特徴とする。
【００２１】
（１０）  （４）の液晶表示素子において、前記前記ブラックマトリクスの前記枠状の
シール材にオーバーラップする領域が、くさび形パターンを形成していることを特徴とす
る。
【発明の効果】
【００２２】
本発明によれば、対向する一対の基板及び該一対の基板の周縁部に挟持される枠状のシ
ール材とによって形成されるセル内への液晶封入に対し、注入工程の短縮を可能とする滴
下注入法が採用でき、かつ表示品質及び液晶表示素子の信頼性が確保できる。
【図面の簡単な説明】
【００２３】
【図１】枠状の紫外線硬化型シール材を使用した液晶表示素子において、封入される液晶の滴下を説明するための斜視図である。
【図２ａ】枠状の紫外線硬化型シール材を使用した液晶表示素子の作成工程において、封入される液晶が背面基板上に滴下された状態を示す断面図である。
【図２ｂ】枠状の紫外線硬化型シール材を使用した液晶表示素子の作成工程において、封入される液晶を挟んだ背面基板と前面基板とが加圧されて所定の間隔で対向する状態を示す断面図である。
【図２ｃ】枠状の紫外線硬化型シール材を使用した液晶表示素子の作成工程において、紫外線を照射してシール材を硬化させて前面基板と背面基板とを固着する工程を説明する断面図である。
【図３ａ】本発明の第１の実施例による液晶表示素子の平面図である。
【図３ｂ】図３ａの液晶表示素子の線ＩＩＩｂ−ＩＩＩｂに沿った断面図である。
【図４ａ】本発明の第２の実施例による液晶表示素子において、枠状の紫外線硬化型シール材にオーバーラップするブラックマトリクス周縁部を格子状パターン形成した場合の液晶表示素子の要部上面図である。
【図４ｂ】本発明の第２の実施例による液晶表示素子において、枠状の紫外線硬化型シール材にオーバーラップするブラックマトリクスの周縁部を斜め格子状パターンに形成した場合の液晶表示素子の要部上面図である。
【図４ｃ】本発明の第２の実施例による液晶表示素子において、枠状の紫外線硬化型シール材にオーバーラップするブラックマトリクスの周縁部をストライプパターンに形成した場合の液晶表示素子の要部上面図である。
【図４ｄ】本発明の第２の実施例による液晶表示素子において、枠状の紫外線硬化型シール材にオーバーラップするブラックマトリクスの周縁部を円形開口パターンに形成した場合の液晶表示素子の要部上面図である。
【図４ｅ】本発明の第２の実施例による液晶表示素子において、枠状の紫外線硬化型シール材にオーバーラップするブラックマトリクスの周縁部を島状パターンに形成した場合の液晶表示素子の要部上面図である。
【図４ｆ】本発明の第２の実施例による液晶表示素子において、枠状の紫外線硬化型シール材にオーバーラップするブラックマトリクスの周縁部をくさび形パターンに形成した場合の液晶表示素子の要部上面図である。
【発明を実施するための形態】
【００２４】
以下、本発明の実施例を、図面を参照して詳細に説明する。なお、実施例を説明する全
図において、同一機能を有するものは同一符号を付け、その繰り返しの説明は省略する。
【００２５】
なお、本明細書添付の図面においては、簡単の為、基板、基板上に形成される電極、電
子素子、電気配線及びそれらからの外部取り出し電極端子などの要素の図示を省略し、か
つ、明瞭化のため、図中の各要素が、実際の表示素子、装置の場合とは異なる縮尺比率を
用いて誇張して描かれている場合がある。
【００２６】
本発明による実施例を説明するに先立って、紫外線硬化型シール材を使用した液晶表示
素子に、滴下注入法を使用して液晶を封入する方法について、上記特許第３２１０１０９
号公報に倣って簡単に説明する。図１は、例えば、携帯電話などの小型携帯機器用の液晶
表示素子９個を作成するための一枚の基板１０の斜視図である。基板１０の上には、枠状
のシール材２０が形成されている。なお、実際には、枠状のシール材２０の各々の内側に
は、複数の画素電極、この画素電極毎に設けられたスイッチング素子、これらに電気的に
結合される配線及び液晶分子を配向するための配向膜などが設けられているが、簡単化の
ため図示を省略している。枠状のシール材２０の各々の内側には、ディスペンサ５０を用
いて液晶３０を滴下する。
【００２７】
図２ａは、図１における枠状のシール材２０の１個についての、線ＩＩａ−ＩＩａに沿
った断面図である。この１個のシール材２０の部分を例にとり、以下１個の液晶表示素子
の組み立て工程を説明する。図２ｂは、図２ａのシール材２０及びその内部にある液晶３
０に、もう一方の基板４０を重ね合わせた後、基板１０及び４０を加圧し、基板１０と基
板４０を所定の間隔で対向させた（このためにスペーサなどが使われるが図示せず。）状
態を断面図である。次いで、図２ｃに示す如く、シール材２０部分に紫外線を照射し、シ
ール材２０を硬化させて基板１０と基板４０とを固着する。
【実施例１】
【００２８】
図３ａは、本発明の第１の実施例による液晶表示素子の平面図、図３ｂは、図３ａの液
晶表示素子の線ＩＩＩｂ−ＩＩＩｂに沿った断面図である。滴下注入法により液晶を封入
する方法を、図１における枠状のシール材２０の１個についての線ＩＩａ−ＩＩａに沿っ
た断面図に相当する、図２ａ〜図２ｂの断面図を用いて説明したが、この図３ｂに示した
断面図は、図２ｃの断面図に相当するものである。
【００２９】
図３ａ及び３ｂにおいて、参照符号１１０は液晶素子の背面基板、１４０は液晶素子の
前面基板、１３０は液晶組成物、１２０は枠状の紫外線硬化型シール材、１５０は，画素
の輪郭を規定する多数の開口が設けられたブラックマトリクス、ＰＲ，ＰＧ，ＰＢは、ブ
ラックマトリクス１５０の開口部に設けられた赤原色，緑原色、青原色表示画素を示す。
図３ａ及び３ｂにおいては、簡単の為、基板に形成される画素電極、画素電極の各々に対
応して設けられたスイッチング素子、電気配線及びそれらからの外部取り出し電極端子、
３原色フィルタなどの要素の図示が省略されている。
【００３０】
本実施例においては、ブラックマトリクス１５０の周縁部が枠状の紫外線硬化型シール
材１２０にオーバーラップせずに、ブラックマトリクス１５０の外縁１５０Ｅが、枠状の
紫外線硬化型シール内側縁１２０Ｅに単に接する（tangent）だけの大きさに形成されて
いる。従って、背面基板１１０と前面基板１４０との間の枠状シール材１２０の内側に、
液晶組成物１３０を滴下注入法により注入後、図２ｃを用いて説明した同様に、図３ｂに
示した如く、枠状の紫外線硬化型シール１２０を硬化させるために、枠状の紫外線硬化型
シール１２０に紫外線を照射した場合、該紫外線は、ブラックマトリクス１５０に妨害さ
れずに紫外線硬化型シール材１２０に到達することができるので、紫外線硬化型シール１
２０の硬化が十分行われ、信頼性の高い液晶表示素子が得られる。
【００３１】
上記説明では、ブラックマトリクス１５０の外縁１５０Ｅが、枠状の紫外線硬化型シー
ル材１２０の内側縁１２０Ｅに単に接する（tangent）構成として説明したが、枠状の紫
外線硬化型シール材１２０の幅Ｗ（図３ａ，３ｂ参照）は、通常１ｍｍ程度なので、枠状
の紫外線硬化型シール材１２０とブラックマトリクス１５０のオーバーラップ幅が、０．
２ｍｍ以下ならば許容できる。このオーバーラップが存在する場合の関係を、図３ｂの中
のＡ部拡大図に、太い破線で示す。すなわち、図示の如く、ブラックマトリックス１５０
の外縁が、紫外線硬化型シール材１２０と液晶表示素子の前面基板１４０との間の１５０
ＥＸで示された位置まで入り込む構成となる。
【００３２】
ここで、紫外線硬化型シール材料としては、つぎのようなものが提案されている。
【００３３】
ビスフェノールＦエポキシ樹脂のエポキシアクリレートを８０重量部、エポキシ樹脂と
してＲＥ２０３（日本化薬株式会社製；エポキシ当量２３３ｇ／ｅｑ、エチレンオキサイ
ド付加ビスフェノールＳ型エポキシ樹脂）２０重量部、ラジカル発生型光重合開始剤とし
て３，６-ビス（２-メチル-２-モルホリノプロピオニル）-９-ｎ-オクチルカルバゾール
（旭電化工業製、アデカオプトマーＮ-１４１４）１．２重量部、ホウ酸エステルとして
２，２-オキシビス（５，５-ジメチル-１，３，２-ジオキサボリナン）０．５重量部、Ｐ
Ｎ-８０（日本化薬株式会社製、フェノールノボラック樹脂）０．５重量部、アミノシラ
ンカップリング剤（Ｎ−β（アミノエチル）γ−アミノプロピルトリメトキシシラン、信越
シリコーン製、ＫＢＭ-６０３）１．３重量部を９０℃で加熱溶解し、樹脂液を得た。室
温に冷却後、イソフタル酸ジヒドラジド（商品名ＩＤＨ-Ｓ；大塚化学株式会社製ジェッ
トミル粉砕グレードを更にジェットミルで微粉砕したもの、融点２２４℃、活性水素当量
４８．５ｇ／ｅｑ、平均粒径１．７μｍ、最大粒径７μｍ）１０重量部、アルミナ（シー
アイ化成株式会社製、ＳＰＣ-Ａｌ、平均粒径１．０μｍ）１３重量部、ゴム（呉羽化学
工業株式会社製、パラロイドＥＸＬ-２６５５、平均粒径０．２μｍ）３．９重量部を、
ミルで分散混練して得られたUVシール剤が有効と思われる。
【００３４】
ブラックマトリクス１５０の形成方法としては、例えば、アクリル，エポキシ，又はポ
リイミド樹脂などの有機樹脂にカーボンブラック又は黒色の有機顔料などを含有させたものを、透明ガラス基板１４０の上に、パターン状に塗布する方法がある。
【００３５】
次に、枠状の紫外線硬化型シール材１２０に要求される光学的特性について検討を加え
る。本実施例においては、枠状の紫外線硬化型シール材１２０とブラックマトリクス１５
０のオーバーラップ幅が０．２ｍｍ以下ならば許容できる構成にしているので、紫外線硬
化型シール材１２０にもブラックマトリクス１５０同等の光学特性、例えば、光学濃度Ｏ
Ｄ（optical density） ≧ 2.0 が満足されることが好ましい。しかしながら、光学濃度
ＯＤが過度に大きすぎると、紫外線硬化型シール材が硬化しなくなる問題がある。紫外線
硬化型シール材１２０に対して要求される光学濃度ＯＤの値は、背面基板１１０と前面基
板１４０との間の間隔ＣＧ（図３ｂ参照）に依存するが、下記の値が好ましいと考えられ
る。
【００３６】
基板間間隔ＣＧ（μｍ）            要求される光学濃度ＯＤ
４                              ２〜３
３                              ２〜３．５
２                              ２〜４
上記光学濃度を調整する方法の一例として、紫外線硬化型シール材にチタン系黒色顔料
を添加する方法がある。このチタン系黒色顔料については、特開昭５８-１８０４１３号
公報に詳述されている。
【実施例２】
【００３７】
上記実施例１においては、ブラックマトリクス１５０の外縁１５０Ｅが、枠状の紫外線
硬化型シール材１２０の内側縁１２０Ｅに単に接する（tangent）か、枠状の紫外線硬化
型シール材１２０とブラックマトリクス１５０のオーバーラップ幅を０．２ｍｍ以下とす
る構成であった。上記実施例１においては、紫外線硬化型シール材１２０にもブラックマ
トリクス１５０同等の光学特性を付与するために、例えば、光学濃度ＯＤ（optical dens
ity）についても十分配慮する必要がある。本実施例においては、紫外線硬化型シール材
１２０に要求される光学濃度ＯＤ（optical density）などの条件を緩和するため、枠状
の紫外線硬化型シール材１２０とブラックマトリクス１５０の周縁部を積極的にオーバーラップさせるが、枠状の紫外線硬化型シール材１２０の紫外線硬化を十分に行うことを可能とする構成である。
【００３８】
即ち、本実施例においては、ブラックマトリクス１５０の周縁部を、枠状の紫外線硬化
型シール材１２０にオーバーラップさせることにより枠状の紫外線硬化型シール材を透過する光量を減ずるが、該枠状の紫外線硬化型シール材１２０を硬化させるために必要な紫外線の量を確保するために、枠状の紫外線硬化型シール材１２０にオーバーラップするブラックマトリクス１５０の周縁部に開口、スリットなどを設けるか、枠状の紫外線硬化型シール材１２０にオーバーラップするブラックマトリクス１５０の周縁部を、島状に離散したブラックマトリクス片の集合で形成するものである。
【００３９】
図４ａは、枠状の紫外線硬化型シール材１２０にオーバーラップするブラックマトリク
ス１５０周縁部を格子状パターン１５０Ｐに形成した場合の液晶表示素子の要部上面図である。
【００４０】
図４ｂは、枠状の紫外線硬化型シール材１２０にオーバーラップするブラックマトリク
ス１５０の周縁部を斜め格子状パターン１５０Ｐに形成した場合の液晶表示素子の要部上面図である。
【００４１】
図４ｃは、枠状の紫外線硬化型シール材１２０にオーバーラップするブラックマトリク
ス１５０の周縁部をストライプパターン１５０Ｐに形成した場合の液晶表示素子の要部上面図である。
【００４２】
図４ｄは、枠状の紫外線硬化型シール材１２０にオーバーラップするブラックマトリク
ス１５０の周縁部を円形開口パターン１５０Ｐに形成した場合の液晶表示素子の要部上面図である。
【００４３】
図４ｅは、枠状の紫外線硬化型シール材１２０にオーバーラップするブラックマトリク
ス１５０の周縁部を島状パターン１５０Ｐに形成した場合の液晶表示素子の要部上面図である。
【００４４】
図４ｆは、枠状の紫外線硬化型シール材１２０にオーバーラップするブラックマトリク
ス１５０の周縁部をくさび形パターン１５０Ｐに形成した場合の液晶表示素子の要部上面図である。
【００４５】
なお、図４ａ〜４ｆにおいて、参照符号１１０は背面基板、１４０は前面基板、ＰＲ，
ＰＧ，ＰＢはそれぞれ赤原色，緑原色，青原色表示画素を示す。
【符号の説明】
【００４６】
１０…基板、２０…枠状のシール材、３０…液晶、４０…基板、５０…ディスペンサ、
１１０…背面基板、１２０…枠状の紫外線硬化型シール材、１２０Ｅ…枠状の紫外線硬化
型シール材の内側縁、１３０…液晶組成物、１４０…前面基板、１５０…ブラックマトリ
クス、１５０Ｅ…ブラックマトリクスの外縁、１５０Ｐ…ブラックマトリクスのパターン
、ＰＲ…赤原色表示画素、ＰＧ…緑原色表示画素、ＰＢ…青原色表示画素。
【図１】
2011118439.tif 000003
【図２ａ】
2011118439.tif 000004
【図２ｂ】
2011118439.tif 000005
【図２ｃ】
2011118439.tif 000006
【図３ａ】
2011118439.tif 000007
【図３ｂ】
2011118439.tif 000008
【図４ａ】
2011118439.tif 000009
【図４ｂ】
2011118439.tif 000010
【図４ｃ】
2011118439.tif 000011
【図４ｄ】
2011118439.tif 000012
【図４ｅ】
2011118439.tif 000013
【図４ｆ】
2011118439.tif 000014